(57)【要約】【課題】造影剤を用いたスキャンを効率的に実施し、診断能率を向上する。【解決手段】造影剤が血液に注入された被検体をモニタースキャンを実施する際には、モニタースキャン領域ＭＡを透過したＸ線を、Ｘ線検出器２３の第１検出領域Ａ１に対応する検出素子２３ａに検出させて、モニタースキャン領域ＭＡの投影データを取得する。そして、その被検体を本スキャンを実施する際には、本スキャン領域ＨＡを透過したＸ線を、第１検出領域Ａ１と異なる第２検出領域Ａ２に対応する検出素子２３ａに検出させて、本スキャン領域ＨＡの投影データを取得する。【選択図】図８
2006255241.tif 000002
【特許請求の範囲】
【請求項１】
多列検出器を備え、予め取得した断層像上に設定した関心領域のＣＴ値の変化をモニタースキャン中に表示し、所望のタイミングで本スキャンを開始する放射線撮影方法であって、
本スキャンの開始位置に応じて、モニタースキャンを行う多列検出器の列の位置を変更することを特徴とする放射線撮影方法。
【請求項２】
造影剤が注入された流体を含む被検体の本スキャン領域に照射され、前記本スキャン領域を透過した放射線を、前記流体が流れる方向に複数の検出素子が配列されている検出部に検出させる本スキャンにより得られた投影データに基づいて、前記本スキャン領域の画像を生成する放射線撮影方法であって、
前記被検体において前記本スキャン領域よりも前記流体の流れが上流の側になるモニタースキャン領域に照射され、前記モニタースキャン領域を透過した放射線を時系列に前記検出部に検出させるモニタースキャンにより得られた投影データに基づいて、前記モニタースキャン領域の流体部分を流れる前記造影剤についてのモニター画像を時系列に生成する第１ステップと、
前記モニター画像の時間変化に基づいて、前記本スキャン領域の前記流体に前記造影剤が含まれるタイミングで前記本スキャンを開始する第２ステップと
を有し、
前記第１ステップにおいては、前記モニタースキャンによって前記モニタースキャン領域を透過した前記放射線を、前記検出部の第１検出領域に対応する前記検出素子に検出させることにより、前記モニタースキャン領域の前記投影データを取得し、
前記第２ステップにおいては、前記本スキャンによって前記本スキャン領域を透過した前記放射線を、前記検出部の第１検出領域と異なる第２検出領域に対応する前記検出素子に検出させることにより、前記本スキャン領域の前記投影データを取得する
放射線撮影方法。
【請求項３】
前記第２ステップにおいては、前記第１ステップでの前記モニタースキャンにおける前記被検体の位置と同じになるように、前記被検体の位置を固定して前記本スキャンを開始する
請求項２に記載の放射線撮影方法。
【請求項４】
前記第１ステップにおいては、前記モニタースキャン領域以外の前記被検体の領域に前記放射線が照射されないように前記放射線を遮蔽する
請求項２または３に記載の放射線撮影方法。
【請求項５】
前記第２ステップにおいては、前記本スキャン領域以外の前記被検体の領域に前記放射線が照射されないように前記放射線を遮蔽する
請求項２から３のいずれかに記載の放射線撮影方法。
【請求項６】
多列検出器を備え、予め取得した断層像上に設定した関心領域のＣＴ値の変化をモニタースキャン中に表示し、所望のタイミングで本スキャンを開始する放射線撮影装置であって、
本スキャンの開始位置に応じて、モニタースキャンを行う多列検出器の列の位置を変更することを特徴とする放射線撮影装置。
【請求項７】
被検体に放射線を照射する照射部と、前記照射部により照射され前記被検体を透過した前記放射線を検出する検出素子を複数含む検出部とを有し、造影剤が注入された流体を含む前記被検体の本スキャン領域に照射部が放射線を照射し、前記本スキャン領域を透過した前記放射線を検出部が検出する本スキャンを実施することによって得られた投影データに基づいて、前記本スキャン領域の画像を生成する放射線撮影装置であって、
前記被検体において前記本スキャン領域よりも前記流体の流れが上流の側になるモニタースキャン領域に前記照射部が前記放射線を照射し、前記モニタースキャン領域を透過した前記放射線を前記検出部が時系列に検出するモニタースキャンを実施することにより前記モニタースキャン領域の投影データを得るように、前記照射部と前記検出部とを制御するモニタースキャン制御部と、
前記本スキャンが開始されるように前記照射部と前記検出部とを制御する本スキャン制御部と
を有し、
前記検出部は、少なくとも、前記流体が流れる方向に前記複数の検出素子が配列されており、
前記モニタースキャン制御部は、前記検出部において前記モニタースキャン領域に対応する第１検出領域の前記検出素子に、前記モニタースキャンにより前記モニタースキャン領域を透過した前記放射線を検出させ、
前記本スキャン制御部は、前記検出部において前記本スキャン領域に対応し、前記第１検出領域と異なる第２検出領域の前記検出素子に、前記本スキャンにより前記本スキャン領域を透過した前記放射線を検出させる
放射線撮影装置。
【請求項８】
前記被検体が載置されるテーブル部と、
前記テーブル部を移動させるテーブル移動部と
を有し、
前記本スキャン制御部は、前記本スキャンでの前記テーブル部の位置が前記モニタースキャンにおける前記テーブル部の位置と同じになるように、前記テーブル移動部を制御する
請求項７に記載の放射線撮影装置。
【請求項９】
前記照射部が前記被検体に照射する前記放射線を遮蔽するコリメータ部
を有し、
前記モニタースキャン制御部は、前記モニタースキャン領域以外の領域に照射される前記放射線を遮蔽するように前記コリメータ部を制御する
請求項７または８に記載の放射線撮影装置。
【請求項１０】
前記本スキャン制御部は、前記本スキャン領域以外の領域に照射される前記放射線を遮蔽するように前記コリメータ部を制御する
請求項９に記載の放射線撮影装置。
【請求項１１】
前記モニタースキャン領域の投影データに基づいて、前記モニタースキャン領域の流体中を流れる前記造影剤についてのモニター画像を時系列に生成するモニター画像生成部と、
前記モニター画像をオペレータへ表示する表示部と、
前記オペレータからの前記本スキャンを開始する指令を入力する入力部と
を有し、
前記本スキャン制御部は、前記入力部に入力された前記指令に基づいて、前記本スキャンを開始する
請求項７から１０のいずれかに記載の放射線撮影装置。
【発明の詳細な説明】
【技術分野】
【０００１】
本発明は、放射線撮影方法および放射線撮影装置に関し、造影剤が注入された流体を含む被検体の画像を生成する放射線撮影方法および放射線撮影装置に関する。
【背景技術】
【０００２】
Ｘ線ＣＴ（Ｃｏｍｐｕｔｅｄ  Ｔｏｍｏｇｒａｐｈｙ）装置などの放射線撮影装置は、被検体を放射線でスキャンして得られる投影データに基づいて、被検体の断層面についての画像を再構成により生成する。このような放射線撮影装置は、医療用途や産業用途などの広範な用途で利用されている。
【０００３】
放射線撮影装置は、たとえば、被検体について血管造影を実施する際に用いられる（たとえば、特許文献１参照）。
【０００４】
【特許文献１】特開２００１−５４５１９号公報
【発明の開示】
【発明が解決しようとする課題】
【０００５】
血管造影を実施する際においては、血管を流れる血液に造影剤を注入する。ここでは、被検体において血管造影の対象となる本スキャン領域よりも、血液の流れが上流の側の領域で造影剤を注入する。
【０００６】
そして、造影剤を注入した領域と本スキャン領域の位置との間にあるモニタースキャン領域をモニタースキャンし、そのモニタースキャン領域での血液の造影剤についてのモニター画像を時系列に生成して表示する。その後、この時系列に表示されたモニター画像の時間変化に基づいて、造影剤が流れている位置をオペレータが推定し、本スキャン領域での本スキャンを実施させる。ここでは、被検体のモニタースキャン領域から本スキャン領域をスキャン可能なように、被検体が載置されているテーブル部を移動させて、被検体をスキャンする走査ガントリ部と被検体との相対的な位置を変えている。
【０００７】
このため、モニタースキャン後に本スキャンを実施する際には、テーブル部が移動する時間を要することになるため、本スキャン領域に造影剤が到達するタイミングから遅延し、本スキャンを適正に実施することが困難な場合があった。これにより、従来においては、造影剤を用いたスキャンを効率的に実施できず、診断能率を向上させることが容易ではなかった。
【０００８】
したがって、本発明の目的は、造影剤を用いたスキャンを効率的に実施でき、診断能率を向上可能な放射線撮影方法および放射線撮影装置を提供することにある。
【課題を解決するための手段】
【０００９】
上記目的を達成するため、本発明の放射線撮影方法は、多列検出器を備え、予め取得した断層像上に設定した関心領域のＣＴ値の変化をモニタースキャン中に表示し、所望のタイミングで本スキャンを開始する放射線撮影方法であって、本スキャンの開始位置に応じて、モニタースキャンを行う多列検出器の列の位置を変更することを特徴とする。
【００１０】
上記目的を達成するため、本発明の放射線撮影方法は、造影剤が注入された流体を含む被検体の本スキャン領域に照射され、前記本スキャン領域を透過した放射線を、前記流体が流れる方向に複数の検出素子が配列されている検出部に検出させる本スキャンにより得られた投影データに基づいて、前記本スキャン領域の画像を生成する放射線撮影方法であって、前記被検体において前記本スキャン領域よりも前記流体の流れが上流の側になるモニタースキャン領域に照射され、前記モニタースキャン領域を透過した放射線を時系列に前記検出部に検出させるモニタースキャンにより得られた投影データに基づいて、前記モニタースキャン領域の流体部分を流れる前記造影剤についてのモニター画像を時系列に生成する第１ステップと、前記モニター画像の時間変化に基づいて、前記本スキャン領域の前記流体に前記造影剤が含まれるタイミングで前記本スキャンを開始する第２ステップとを有し、前記第１ステップにおいては、前記モニタースキャンによって前記モニタースキャン領域を透過した前記放射線を、前記検出部の第１検出領域に対応する前記検出素子に検出させることにより、前記モニタースキャン領域の前記投影データを取得し、前記第２ステップにおいては、前記本スキャンによって前記本スキャン領域を透過した前記放射線を、前記検出部の第１検出領域と異なる第２検出領域に対応する前記検出素子に検出させることにより、前記本スキャン領域の前記投影データを取得する。
【００１１】
上記目的を達成するため、本発明の放射線撮影装置は、多列検出器を備え、予め取得した断層像上に設定した関心領域のＣＴ値の変化をモニタースキャン中に表示し、所望のタイミングで本スキャンを開始する放射線撮影装置であって、本スキャンの開始位置に応じて、モニタースキャンを行う多列検出器の列の位置を変更することを特徴とする。
【００１２】
上記目的を達成するため、本発明の放射線撮影装置は、被検体に放射線を照射する照射部と、前記照射部により照射され前記被検体を透過した前記放射線を検出する検出素子を複数含む検出部とを有し、造影剤が注入された流体を含む前記被検体の本スキャン領域に照射部が放射線を照射し、前記本スキャン領域を透過した前記放射線を検出部が検出する本スキャンを実施することによって得られた投影データに基づいて、前記本スキャン領域の画像を生成する放射線撮影装置であって、前記被検体において前記本スキャン領域よりも前記流体の流れが上流の側になるモニタースキャン領域に前記照射部が前記放射線を照射し、前記モニタースキャン領域を透過した前記放射線を前記検出部が時系列に検出するモニタースキャンを実施することにより前記モニタースキャン領域の投影データを得るように、前記照射部と前記検出部とを制御するモニタースキャン制御部と、前記本スキャンが開始されるように前記照射部と前記検出部とを制御する本スキャン制御部とを有し、前記検出部は、少なくとも、前記流体が流れる方向に前記複数の検出素子が配列されており、前記モニタースキャン制御部は、前記検出部において前記モニタースキャン領域に対応する第１検出領域の前記検出素子に、前記モニタースキャンにより前記モニタースキャン領域を透過した前記放射線を検出させ、前記本スキャン制御部は、前記検出部において前記本スキャン領域に対応し、前記第１検出領域と異なる第２検出領域の前記検出素子に、前記本スキャンにより前記本スキャン領域を透過した前記放射線を検出させる。
【発明の効果】
【００１３】
本発明によれば、造影剤を用いたスキャンを効率的に実施でき、診断能率を向上可能な放射線撮影方法および放射線撮影装置を提供することができる。
【発明を実施するための最良の形態】
【００１４】
本発明にかかる実施形態について説明する。
【００１５】
図１は、本発明にかかる実施形態のＸ線ＣＴ装置１についての全体構成を示すブロック図であり、図２は、本実施形態のＸ線ＣＴ装置１における要部を示す構成図である。
【００１６】
図１に示すように、Ｘ線ＣＴ装置１は、走査ガントリ２と、操作コンソール３と、被検体搬送部４とを有し、スキャン条件に基づいて被検体をＸ線でスキャンすることによって得られた被検体の投影データを用いて、被検体の断層面についての画像を再構成し生成する。
【００１７】
走査ガントリ２について説明する。
【００１８】
走査ガントリ２は、操作コンソール３からの制御信号ＣＴＬ３０ａに基づいて、被検体搬送部４により撮影空間２９に移動された被検体をＸ線でスキャンし、その被検体の投影データを得る。走査ガントリ２は、図１に示すように、Ｘ線管２０とＸ線管移動部２１とコリメータ２２とＸ線検出器２３とデータ収集部２４とＸ線コントローラ２５とコリメータコントローラ２６と回転部２７とガントリコントローラ２８とを有する。図２に示すように、走査ガントリ２においては、被検体が搬入される撮影空間２９を挟むように、Ｘ線管２０とＸ線検出器２３とが配置されている。そして、コリメータ２２が、Ｘ線管２０から撮影空間２９の被検体へ照射されるＸ線を成形するように配置されている。そして、走査ガントリ２は、被検体の体軸方向ｚを中心にして、Ｘ線管２０とコリメータ２２とＸ線検出器２３とを被検体の周囲で旋回させる。これにより、被検体の周囲における複数のビュー方向からＸ線管２０がＸ線を照射し、Ｘ線管２０から被検体を透過するＸ線をＸ線検出器２３が検出して、投影データを生成する。走査ガントリ２の各部について、順次、説明する。
【００１９】
Ｘ線管２０は、たとえば、回転陽極型であり、Ｘ線を被検体に照射する。Ｘ線管２０は、図２に示すように、Ｘ線コントローラ２５からの制御信号ＣＴＬ２５１に基づいて、所定強度のＸ線を被検体の撮影領域にコリメータ２２を介して照射する。Ｘ線管２０から放射されたＸ線は、コリメータ２２によって、たとえば、コーン状に成形され、Ｘ線検出器２３に照射される。そして、Ｘ線管２０は、被検体の周囲のビュー方向からＸ線を被検体に照射するために、被検体の体軸方向ｚを中心に回転部２７によって被検体の周囲を回転移動する。つまり、Ｘ線管２０は、被検体搬送部４が被検体を撮影空間２９に移動する方向に沿った軸を中心にして、被検体の周囲を旋回する。
【００２０】
Ｘ線管移動部２１は、図２に示すように、Ｘ線コントローラ２５からの制御信号ＣＴＬ２５２に基づいて、Ｘ線管２０の放射中心を、走査ガントリ２における撮影空間２９内の被検体の体軸方向ｚに移動させる。
【００２１】
コリメータ２２は、図２に示すように、Ｘ線管２０とＸ線検出器２３との間に配置されている。コリメータ２２は、たとえば、Ｘ線が透過しない遮蔽板を含み、チャネル方向ｉと列方向ｊとにそれぞれ２枚ずつ、遮蔽板が設けられている。コリメータ２２は、コリメータコントローラ２６からの制御信号ＣＴＬ２６１に基づいて、各方向に設けられた２枚の遮蔽板を独立して移動させ、Ｘ線管２０から照射されたＸ線をそれぞれの方向において遮ってコーン状に成形することにより、Ｘ線の照射範囲を調整する。
【００２２】
Ｘ線検出器２３は、Ｘ線管２０から照射され被検体を透過するＸ線を検出し、被検体の投影データを生成する。Ｘ線検出器２３は、Ｘ線管２０と共に、回転部２７によって被検体の周囲を回転する。そして、被検体の周囲からＸ線管２０により照射され、被検体を透過したＸ線を検出して投影データを生成する。
【００２３】
図２に示すように、Ｘ線検出器２３は、いわゆる多列検出器であり、複数の検出素子２３ａを有する。Ｘ線検出器２３は、たとえば、Ｘ線管２０が撮影空間２９の被検体の周囲を回転部２７により回転する回転方向に沿ったチャネル方向ｉと、Ｘ線管２０が回転部２７によって回転する際に中心軸となる回転軸方向に沿った列方向ｊとに検出素子２３ａがアレイ状に２次元的に配列されている。また、Ｘ線検出器２３は、２次元的に配列された複数の検出素子２３ａによって、円筒な凹面状に湾曲した面を形成している。
【００２４】
Ｘ線検出器２３を構成する検出素子２３ａは、たとえば、固体検出器として構成されており、Ｘ線を光に変換するシンチレータ（図示なし）と、シンチレータが変換した光を電荷に変換するフォトダイオード（図示なし）とを有する。なお、検出素子２３ａは、これに限定されるものではなく、たとえば、カドミウム・テルル（ＣｄＴｅ）等を利用した半導体検出素子、あるいはキセノン（Ｘｅ）ガスを利用した電離箱型の検出素子であって良い。
【００２５】
データ収集部２４は、Ｘ線検出器２３からの投影データを収集するために設けられている。データ収集部２４は、Ｘ線検出器２３のそれぞれの検出素子２３ａが検出したＸ線による投影データを収集して、操作コンソール３に出力する。図２に示すように、データ収集部２４は、選択・加算切換回路（ＭＵＸ，ＡＤＤ）２４１とアナログ−デジタル変換器（ＡＤＣ）２４２とを有する。選択・加算切換回路２４１は、Ｘ線検出器２３の検出素子２３ａによる投影データを、情報処理装置３０からの制御信号ＣＴＬ３０３に応じて選択し、あるいは組み合わせを変えて足し合わせ、その結果をアナログ−デジタル変換器２４２に出力する。アナログ−デジタル変換器２４２は、選択・加算切換回路２４１において選択あるいは任意の組み合わせで足し合わされた投影データをアナログ信号からデジタル信号に変換して情報処理装置３０に出力する。
【００２６】
Ｘ線コントローラ２５は、図２に示すように、情報処理装置３０からの制御信号ＣＴＬ３０１に応じて、Ｘ線管２０に制御信号ＣＴＬ２５１を出力し、Ｘ線の照射を制御する。Ｘ線コントローラ２５は、たとえば、Ｘ線管２０の管電流や照射時間などを制御する。また、Ｘ線コントローラ２５は、情報処理装置３０による制御信号ＣＴＬ３０１に応じて、Ｘ線管移動部２２１に対し制御信号ＣＴＬ２５２を出力し、Ｘ線管２０の放射中心を体軸方向ｚに移動するように制御する。
【００２７】
コリメータコントローラ２６は、図２に示すように、情報処理装置３０からの制御信号ＣＴＬ３０２に応じてコリメータ２２に制御信号ＣＴＬ２６１を出力し、Ｘ線管２０から被検体へ照射されたＸ線を成形するように、コリメータ２２を制御する。
【００２８】
回転部２７は、図１に示すように、円筒形状であり、中心部分に撮影空間２９が形成されている。回転部２７は、ガントリコントローラ２８からの制御信号ＣＴＬ２８に応じて、たとえば、モーター（図示なし）を駆動し、撮影空間２９内における被検体の体軸方向ｚを中心にして回転する。回転部２７には、Ｘ線管２０とＸ線管移動部２１とコリメータ２２とＸ線検出器２３とデータ収集部２４とＸ線コントローラ２５とコリメータコントローラ２６とが搭載されている。回転部２７は、スリップリング（図示なし）を介して、各部に電力を供給する。そして、回転部２７は、各部を被検体の周囲に回転移動させ、撮影空間２９に搬入される被検体と各部との位置関係を回転方向にて相対的に変化させる。回転部２７が回転することによって、被検体の周囲から複数のビュー方向ごとにＸ線管２０がＸ線を被検体に照射することが可能になり、被検体を透過したＸ線をＸ線検出器２３がそれぞれのビュー方向ごとに検出することが可能になる。
【００２９】
ガントリコントローラ２８は、図１および図２に示すように、操作コンソール３の情報処理装置３０による制御信号ＣＴＬ３０４に基づいて、回転部２７に制御信号ＣＴＬ２８を出力し、回転部２７が回転するように制御する。
【００３０】
操作コンソール３について説明する。
【００３１】
操作コンソール３は、図１に示すように、情報処理装置３０と、入力装置４１と、表示装置５１と、記憶装置６１とを有する。各部について、順次、説明する。
【００３２】
操作コンソール３における情報処理装置３０は、オペレータにより入力装置４１に入力される指令に基づいて、種々の処理を実施する。情報処理装置３０は、コンピュータと、このコンピュータを種々の手段として機能させるプログラムとを含む。
【００３３】
図３は、情報処理装置３０の構成を示すブロック図である。
【００３４】
情報処理装置３０は、図３に示すように、制御部３０１と、画像生成部３０２とを有する。各部は、コンピュータを種々の手段として機能させるプログラムを含む。
【００３５】
制御部３０１は、Ｘ線ＣＴ装置１の各部を制御するために設けられており、モニタースキャン制御部３０１ａと、本スキャン制御部３０１ｂとを有する。
【００３６】
制御部３０１におけるモニタースキャン制御部３０１ａは、造影剤が注入された流体を含む被検体を本スキャンする前に、被検体の流体中の造影剤をモニターするモニタースキャンを実施するように、各部を制御する。モニタースキャン制御部３０１ａは、オペレータにより入力装置４１に入力された指令に基づいて各部を制御する。ここでは、モニタースキャン制御部３０１ａは、被検体の本スキャン領域よりも流体の流れが上流の側になるモニタースキャン領域にＸ線管２０がＸ線を照射し、そのモニタースキャン領域を透過したＸ線を、Ｘ線検出器２３が時系列に検出するモニタースキャンを実施することにより、データ収集部２４がモニタースキャン領域の投影データを得るように制御する。本実施形態においては、モニタースキャン制御部３０１ａは、被検体のモニタースキャン領域における血管を流れる流体である血液の中の造影剤についてのモニター画像を時系列に生成して表示し、その時系列に表示されたモニター画像の時間変化に基づいて、被検体中における造影剤の位置をオペレータが推定して本スキャン領域での本スキャンを開始するために、被検体において造影剤が注入された位置と本スキャン領域の位置との間にあるモニタースキャン領域をモニタースキャンするように制御する。モニタースキャン制御部３０１ａは、モニタースキャンとして、たとえば、コンベンショナルスキャンを実施させる。具体的には、モニタースキャン制御部３０１ａは、被検体搬送部４に制御信号ＣＴＬ３０ｂを出力し、被検体搬送部４に被検体を撮影空間２９へ搬送させて移動させる。そして、モニタースキャン制御部３０１ａは、ガントリコントローラ２８に制御信号ＣＴＬ３０４を出力して、走査ガントリ２の回転部２７を回転させる。そして、モニタースキャン制御部３０１ａは、Ｘ線管２０からＸ線の照射するように、制御信号ＣＴＬ３０１をＸ線コントローラ２５に出力する。そして、モニタースキャン制御部３０１ａは、制御信号ＣＴＬ３０２をコリメータコントローラ２６に出力し、コリメータ２２を制御してＸ線を成形する。また、モニタースキャン制御部３０１ａは、制御信号ＣＴＬ３０３をデータ収集部２４に出力し、Ｘ線検出器２３の検出素子２３ａが得る投影データを収集するように制御する。
【００３７】
なお、詳細については後述するが、本実施形態においては、モニタースキャン制御部３０１ａは、Ｘ線検出器２３においてモニタースキャン領域に対応する第１検出領域の検出素子２３ａがモニタースキャンによって被検体のモニタースキャン領域を透過したＸ線を検出し、Ｘ線検出器２３により検出されたＸ線によりデータ収集部２４がモニタースキャン領域に対応する投影データを収集するように制御する。また、さらに、本実施形態においては、モニタースキャン制御部３０１ａは、被検体のモニタースキャン領域以外の領域にＸ線管２０から照射されるＸ線を遮蔽するようにコリメータ２２を制御する。
【００３８】
制御部３０１における本スキャン制御部３０１ｂは、造影剤が注入された流体を含む被検体をモニタースキャンした後に、被検体を本スキャンするように各部を制御する。本スキャン制御部３０１ｂは、オペレータにより入力装置４１に入力された指令に基づいて制御する。ここでは、本スキャン制御部３０１ｂは、被検体のモニタースキャン領域よりも流体の流れが下流の側になる本スキャン領域にＸ線管２０がＸ線を照射し、その本スキャン領域を透過したＸ線を、Ｘ線検出器２３が時系列に検出する本スキャンを実施することにより、データ収集部２４が本スキャン領域の投影データを得るように制御する。たとえば、コンベンショナルスキャンを実施させる。本実施形態においては、本スキャン制御部３０１ｂは、本スキャン領域の血管を流れる血液の中の造影剤についての本スキャン画像を時系列に生成して表示するために、被検体において造影剤が注入された位置からモニタースキャン領域を介して下流になる本スキャン領域を本スキャンするように、各部を制御する。本スキャンを実施する際には、モニタースキャン画像生成部３０２ａにより生成され表示装置５１にて時系列に表示されたモニター画像を観察するオペレータによって入力装置４１に入力された本スキャンを開始する指令に基づいて、本スキャン制御部３０１ｂは、各部に制御信号を送信する。ここでは、本スキャン制御部３０１ｂは、被検体搬送部４に制御信号ＣＴＬ３０ｂを出力し、被検体搬送部４に被検体を撮影空間２９へ搬送させて移動させる。そして、本スキャン制御部３０１ｂは、ガントリコントローラ２８に制御信号ＣＴＬ３０４を出力して、走査ガントリ２の回転部２７を回転させる。そして、本スキャン制御部３０１ｂは、Ｘ線管２０からＸ線の照射するように、制御信号ＣＴＬ３０１をＸ線コントローラ２５に出力する。そして、本スキャン制御部３０１ｂは、制御信号ＣＴＬ３０２をコリメータコントローラ２６に出力し、コリメータ２２を制御してＸ線を成形する。また、本スキャン制御部３０１ｂは、制御信号ＣＴＬ３０３をデータ収集部２４に出力し、Ｘ線検出器２３の検出素子２３ａが得る投影データを収集するように制御する。
【００３９】
なお、詳細については後述するが、本スキャン制御部３０１ｂは、Ｘ線検出器２３において本スキャン領域に対応すると共に、モニタースキャン時に用いた第１検出領域の検出素子２３ａと異なる第２検出領域の検出素子２３ａが、本スキャンによって被検体の本スキャン領域を透過したＸ線を検出し、Ｘ線検出器２３により検出されたＸ線によってデータ収集部２４が本スキャン領域に対応する投影データを収集するように、制御信号ＣＴＬ３０３を送信して制御する。また、本スキャン制御部３０１ｂは、被検体搬送部４のテーブル部４０１の本スキャンにおける位置が、モニタースキャンにおけるテーブル部４０１の位置と同じになるように、被検体搬送部４に制御信号ＣＴＬ３０ｂを送信し、被検体搬送部４のテーブル移動部４０２を制御する。また、さらに、本スキャン制御部３０１ｂは、本スキャン領域以外の被検体の領域に照射されるＸ線を遮蔽するように、制御信号ＣＴＬ３０２をコリメータコントローラ２６に送信し、コリメータ２２を制御する。
【００４０】
画像生成部３０２は、データ収集部２４により収集された投影データに基づいて被検体の画像を生成するために設けられており、図３に示すように、モニタースキャン画像生成部３０２ａと、本スキャン画像生成部３０２ｂとを有する。
【００４１】
画像生成部３０２のモニタースキャン画像生成部３０２ａは、モニタースキャン制御部３０１ａにより制御され取得されたモニタースキャン領域の投影データに基づいて、モニタースキャン領域の流体中を流れる造影剤についてのモニター画像を時系列に生成する。ここでは、モニタースキャン画像生成部３０２ａは、モニタースキャンにより取得された投影データを取得し、その投影データを用いて被検体の断層面についてのモニター画像を計算によって時系列に再構成する。具体的には、モニタースキャン画像生成部３０２ａは、投影データに対して、前処理を実施後、フィルタ処理逆投影法などの画像再構成法によって画像再構成を行い、被検体の断層面についてのモニター画像を順次生成する。
【００４２】
画像生成部３０２の本スキャン画像生成部３０２ｂは、本スキャン制御部３０１ｂにより制御され取得された本スキャン領域の投影データに基づいて、本スキャン領域の流体中を流れる造影剤についての本スキャン画像を時系列に生成する。ここでは、本スキャン画像生成部３０２ｂは、本スキャンにより取得された投影データを取得し、その投影データを用いて被検体の断層面についての本スキャン画像を計算によって時系列に再構成する。具体的には、本スキャン画像生成部３０２ｂは、投影データに対して、前処理を実施後、フィルタ処理逆投影法などの画像再構成法によって画像再構成を行い、被検体の断層面についての本スキャン画像を順次生成する。なお、前処理としては、感度補正、ビームハードニング補正などのデータ処理を実施する。
【００４３】
操作コンソール３の入力装置４１は、たとえば、キーボードやマウスなどにより構成されている。入力装置４１は、オペレータの入力操作に基づいて、スキャン条件や被検体の情報などの各種情報や指令を情報処理装置３０に入力する。たとえば、入力装置４１は、オペレータからの本スキャンを開始する指令を入力する。
【００４４】
操作コンソール３の表示装置５１は、たとえば、ＣＲＴを含み、情報処理装置３０からの指令に基づき、表示面に画像を表示する。本実施形態においては、表示装置５１は、画像生成部３０２のモニタースキャン画像生成部３０２ａにより生成されたモニター画像を時系列に、順次、リアルタイムに表示する。また、表示装置５１は、画像生成部３０２の本スキャン画像生成部３０２ｂにより生成された本スキャン画像を時系列に、順次、リアルタイムに表示する。
【００４５】
操作コンソール３の記憶装置６１は、メモリにより構成されており、プログラムなどのデータを記憶する。記憶装置６１は、その記憶されたデータが必要に応じて情報処理装置３０にアクセスされる。
【００４６】
被検体搬送部４について説明する。
【００４７】
被検体搬送部４は、撮影空間２９の内部と外部との間で被検体を搬送する。
【００４８】
図４は、被検体搬送部４の構成を示す斜視図である。
【００４９】
図４に示すように、被検体搬送部４は、テーブル部４０１と、テーブル移動部４０２とを有する。
【００５０】
被検体搬送部４のテーブル部４０１は、被検体が載置される載置面が形成されており、その載置面で被検体を支持する。たとえば、被検体は、仰向けになるようにテーブルに寝かされて、被検体搬送部４のテーブル部４０１に支持される。
【００５１】
被検体搬送部４のテーブル移動部４０２は、被検体の体軸方向ｚに沿った水平方向Ｈにテーブル部４０１を移動させる水平移動部４０２ａと、水平方向Ｈに対して垂直な鉛直方向Ｖにテーブル部４０１を移動させる垂直移動部４０２ｂとを有し、情報処理装置３０からの制御信号ＣＴＬ３０ｂに基づいて、撮影空間２９の内部に被検体を搬入するように、テーブル部４０１を移動させる。そして、本実施形態においては、モニタースキャンと本スキャンとが実施される場合においては、テーブル部４０１の本スキャンにおける位置がモニタースキャンにおけるテーブル部４０１の位置と同じになるように、テーブル移動部４０２は、テーブル部４０１の位置を固定する。
【００５２】
なお、本実施形態のＸ線ＣＴ装置１は、本発明の放射線撮影装置に相当する。また、本実施形態のＸ線管２０は、本発明の照射部に相当する。また、本実施形態のコリメータ２２は、本発明のコリメータ部に相当する。また、本実施形態のＸ線検出器２３は、本発明の検出部に相当する。また、本実施形態の検出素子２３ａは、本発明の検出素子に相当する。また、本実施形態の入力装置４１は、本発明の入力部に相当する。また、本実施形態の表示装置５１は、本発明の表示部に相当する。また、本実施形態のモニタースキャン制御部３０１ａは、本発明のモニタースキャン制御部に相当する。また、本実施形態の本スキャン制御部３０１ｂは、本発明の本スキャン制御部に相当する。また、本実施形態のモニタースキャン画像生成部３０２ａは、本発明のモニター画像生成部に相当する。また、本実施形態の本スキャン画像生成部３０２ｂは、本発明の本スキャン画像生成部に相当する。また、本実施形態のテーブル部４０１は、本発明のテーブル部に相当する。また、本実施形態のテーブル移動部４０２は、本発明のテーブル移動部に相当する。
【００５３】
本実施形態のＸ線ＣＴ装置１における動作について説明する。
【００５４】
図５は、流体である血液中に造影剤が注入された被検体を本スキャンする際の動作を示すフロー図である。
【００５５】
図５に示すように、まず、位置決めスキャンを実施する（Ｓ１１）。
【００５６】
ここでは、モニタースキャンと本スキャンとの際にスキャンする被検体の位置を決定するために、事前に予備スキャンとして、位置決めスキャンをする。まず、Ｘ線管２０とＸ線検出器２３との間の撮影空間２９に被検体搬送部４が被検体を移動し、位置決めスキャンを実施するように制御部３０１が各部を制御する。具体的には、被検体において流体としての血液が流れる方向に対応して、Ｘ線検出器２３の検出素子２３ａが複数配列するように被検体を撮影空間２９に配置して位置決めスキャンを実施する。そして、たとえば、ヘリカルスキャン方式により位置決めスキャンを実施するように制御する。その後、その位置決めスキャンにより取得される投影データに基づいて、画像生成部３０２が位置決め画像を再構成により生成する。そして、位置決め画像を表示装置５１が表示する。
【００５７】
つぎに、モニタースキャンと本スキャンとのスキャン条件を設定する（Ｓ２１）。
【００５８】
ここでは、表示装置５１に表示された位置決め画像に基づいて、モニタースキャンと本スキャンとを実施する被検体のスライス位置などの情報をオペレータが入力装置３１に入力し設定する。具体的には、本スキャン領域ＨＡよりも流体の流れが上流の側になる位置にモニタースキャン領域ＭＡがなるように、モニタースキャンと本スキャンとを実施する被検体のスライス位置の情報を設定する。また、モニタースキャンにより生成されるモニター画像においての造影剤による時間変化をオペレータが監視するために、表示装置５１に表示された位置決め画像に基づいて、モニター画像における関心領域ＲＯＩの位置をオペレータが入力装置３１に入力し設定する。
【００５９】
つぎに、被検体に造影剤を注入する（Ｓ３１）。
【００６０】
ここでは、モニタースキャンされる被検体のモニタースキャン領域ＭＡと、本スキャンされる被検体の本スキャン領域ＨＡとに対応するように、オペレータが被検体中を流れる流体に造影剤を注入させる。具体的には、被検体のモニタースキャン領域ＭＡを介して本スキャン領域ＨＡよりも血液Ｂの流れが上流の側になる位置の血管Ｖに造影剤を注入し、被検体中を流れる血液Ｂに造影剤を混入させる。
【００６１】
つぎに、モニタースキャンを実施する（Ｓ４１）。
【００６２】
ここでは、制御部３０１のモニタースキャン制御部３０１ａが各部を制御することにより、モニタースキャンが実施される。
【００６３】
図６は、モニタースキャンが実施される際の様子を示す側面図である。
【００６４】
図６に示すように、被検体の本スキャン領域ＨＡよりも血液Ｂの流れが上流の側になるモニタースキャン領域ＭＡにＸ線管２０がＸ線を照射し、そのモニタースキャン領域ＭＡを透過したＸ線を、Ｘ線検出器２３が時系列に検出するように、モニタースキャンを実施する。そして、データ収集部２４がモニタースキャン領域ＭＡの投影データを得る。モニタースキャンは、たとえば、コンベンショナルスキャンにより実施される。
【００６５】
ここでは、図６に示すように、Ｘ線検出器２３においてモニタースキャン領域ＭＡに対応する第１検出領域Ａ１の検出素子２３ａがモニタースキャンによって被検体のモニタースキャン領域ＭＡを透過したＸ線を検出し、Ｘ線検出器２３により検出されたＸ線によりデータ収集部２４が投影データを収集するように、モニタースキャン制御部３０１ａが制御する。また、さらに、被検体のモニタースキャン領域ＭＡ以外の領域にＸ線管２０から照射されるＸ線を遮蔽するように、モニタースキャン制御部３０１ａがコリメータコントローラ２６を介してコリメータ２２を制御する。具体的には、Ｘ線検出器２３の体軸方向ｚの端部側であって被検体のモニタースキャン領域ＭＡに対応する第１検出領域Ａ１の検出素子２３ａにＸ線管２０からＸ線が照射され、第１検出領域Ａ１以外の検出素子２３ａにＸ線管２０からのＸ線が照射されないように、体軸方向ｚのコリメータ２２を非対称に移動してＸ線を遮蔽する。そして、Ｘ線検出器２３の第１検出領域Ａ１に対応する検出素子２３ａが検出するＸ線による投影データを、データ収集部２４が順次収集する。
【００６６】
つぎに、モニター画像を表示する（Ｓ５１）。
【００６７】
ここでは、モニタースキャン制御部３０１ａにより制御され取得されたモニタースキャン領域ＭＡの投影データに基づいて、モニタースキャン領域ＭＡの血管Ｖ中を流れる造影剤についてのモニター画像を、モニタースキャン画像生成部３０２ａが時系列に生成する。具体的には、モニタースキャンにより取得された投影データをモニタースキャン画像生成部３０２ａが取得する。その後、その投影データに対して前処理を実施後、フィルタ処理逆投影法などの画像再構成法によって画像再構成を行い、被検体の断層面についてのモニター画像を時系列に順次生成する。その後、その被検体のモニター画像を表示装置３２がリアルタイムに表示する。
【００６８】
図７は、モニター画像を示す図である。図７において、図７（ａ）は、被検体のモニタースキャン領域ＭＡにおける断層面についてのモニター画像ＭＩ１であり、図７（ｂ）は、被検体のモニタースキャン領域ＭＡにおける断層面の関心領域ＲＯＩのＣＴ値について、時間ｔに対応付けたグラフとして示されるモニター画像ＭＩ２である。
【００６９】
図７に示すように、本実施形態においては、被検体のモニタースキャン領域ＭＡにおける断層面についてのモニター画像ＭＩ１と、被検体のモニタースキャン領域ＭＡにおける断層面の関心領域ＲＯＩのＣＴ値について、時間ｔに対応付けたグラフとして示されるモニター画像ＭＩ２とを、モニタースキャン画像生成部３０２ａがモニタースキャンに対してリアルタイムになるように時系列に生成する。そして、その生成されたモニター画像ＭＩ，ＭＩ２を、表示装置５１が、モニタースキャンに対してリアルタイムになるようにオペレータへ表示する。そして、その表示装置３２が表示するモニター画像ＭＩ１，ＭＩ２によって、オペレータが造影剤の進行状態をモニターする。
【００７０】
つぎに、本スキャンを開始する（Ｓ６１）。
【００７１】
ここでは、表示装置５１に表示されているモニター画像ＭＩ１，ＭＩ２の時間変化に基づいて、本スキャン領域ＨＡにおける流体である血液Ｂに、造影剤が含まれる所望のタイミングで本スキャンを開始する。本実施形態においては、モニター画像ＭＩ１，ＭＩ２により造影剤の進行状態をモニターしているオペレータが、モニター画像ＭＩ２が所定のＣＴ値になったことを確認し、本スキャンを開始させる指令を入力装置３１に入力する。そして、そのオペレータからのスキャン開始の指令に基づいて本スキャン制御部３０１ｂが本スキャンを開始する。
【００７２】
図８は、本スキャンが実施される際の様子を示す側面図である。
【００７３】
図８に示すように、本スキャンを実施する際においては、本スキャン制御部３０１ｂは、被検体のモニタースキャン領域ＭＡよりも血液Ｂの流れが下流の側になる本スキャン領域ＨＡに、Ｘ線管２０がＸ線を照射し、その本スキャン領域ＨＡを透過したＸ線をＸ線検出器２３が時系列に検出する。本スキャンは、たとえば、コンベンショナルスキャンにより実施される。
【００７４】
そして、ここでは、Ｘ線検出器２３において本スキャン領域ＨＡに対応すると共にモニタースキャン時に用いた第１検出領域Ａ１の検出素子２３ａと異なる第２検出領域Ａ２の検出素子２３ａが、本スキャンによって本スキャン領域ＨＡを透過したＸ線を検出し、そのＸ線検出器２３により検出されたＸ線によってデータ収集部２４が本スキャン領域ＨＡに対応する投影データを収集するように、本スキャン制御部３０１ｂが制御する。また、被検体搬送部４のテーブル部４０１の本スキャンにおける位置が、モニタースキャンにおけるテーブル部４０１の位置と同じになるように、本スキャン制御部３０１ｂが被検体搬送部４のテーブル移動部４０２を制御する。つまり、テーブル移動部４０２にテーブル部４０１を移動させず、モニタースキャン時の被検体の位置に固定させる。また、さらに、本スキャン領域ＨＡ以外の被検体の領域に照射されるＸ線を遮蔽するように、本スキャン制御部３０１ｂが体軸方向ｚのコリメータ２２を制御する。
【００７５】
つぎに、本スキャン画像を表示する（Ｓ７１）。
【００７６】
ここでは、本スキャン制御部３０１ｂにより制御され取得された本スキャン領域ＨＡについての投影データに基づいて、本スキャン領域ＨＡについての本スキャン画像を、本スキャン画像生成部３０２ｂが時系列に生成する。具体的には、本スキャンにより取得された投影データを本スキャン画像生成部３０２ｂが取得する。その後、その投影データに対して前処理を実施後、フィルタ処理逆投影法などの画像再構成法によって画像再構成を行い、被検体の断層面についての本スキャン画像を時系列に順次生成する。その後、その被検体の本スキャン画像を表示装置３２がリアルタイムに表示する。
【００７７】
以上のように、本実施形態においては、造影剤が血液Ｂに注入された被検体において本スキャン領域ＨＡよりも血液Ｂの流れが上流の側になるモニタースキャン領域ＭＡにＸ線管２０がＸ線を照射する。そして、そのモニタースキャン領域ＭＡを透過したＸ線をＸ線検出器が時系列に検出し、そのモニタースキャン領域ＭＡの投影データをデータ収集部２４が得る。このようなモニタースキャンを実施するように、モニタースキャン制御部３０１ａがＸ線管２０とＸ線検出器２３とデータ収集部２４とを制御する。その後、モニタースキャン領域ＭＡの投影データに基づいて、モニタースキャン領域ＭＡの血液Ｂ中の造影剤についてのモニター画像ＭＩ１，ＭＩ２をモニタースキャン画像生成部３０２ａが時系列に生成し、そのモニター画像ＭＩ１，ＭＩ２を表示装置５１がオペレータへ表示する。そして、そのモニター画像ＭＩ１，ＭＩ２を監視するオペレータにより、本スキャンを開始する指令が入力装置４１に入力される。そして、その入力装置５１に入力された指令に基づいて、本スキャンが開始されるように、Ｘ線管２０とＸ線検出器２４とデータ収集部２４とを本スキャン制御部３０１ｂが制御する。
【００７８】
ここで、本実施形態においては、Ｘ線検出器２３は、少なくとも、血液が流れる方向に複数の検出素子が配列されており、モニタースキャン制御部３０１ａは、そのＸ線検出器２３においてモニタースキャン領域ＭＡに対応する第１検出領域Ａ１の検出素子２３ａに、モニタースキャンによってモニタースキャン領域ＭＡを透過したＸ線を検出させ、そのモニタースキャン領域ＭＡを透過したＸ線による投影データをデータ収集部２４に収集させる。一方、本スキャン制御部３０１ｂは、Ｘ線検出器２３において本スキャン領域ＨＡに対応し、第１検出領域Ａ１と異なる第２検出領域Ａ２の検出素子２３ａに、本スキャンによって本スキャン領域ＨＡを透過したＸを検出させ、その本スキャン領域ＨＡを透過したＸ線による投影データをデータ収集部２４に収集させる。つまり、本スキャン制御部３０１ｂは、本スキャンを実施させる場合に、Ｘ線検出器２３においてモニタースキャンにて用いた第１検出領域Ａ１の検出素子２３ａよりも血液の下流側に位置する第２検出領域Ａ２の検出素子２３ａに、本スキャン領域ＨＡを透過したＸ線を検出させる。このように、モニタースキャンの際にＸ線検出器２３において被検体を透過したＸ線を検出する検出素子の列の位置を、本スキャンの開始位置に応じて変更するように制御する。したがって、本実施形態は、モニタースキャン後に本スキャンを実施する際に、Ｘ線検出器２３においてＸ線を検出し投影データを生成する検出素子２３ａの位置をモニタースキャン時の位置から本スキャンに対応するように変えて、テーブル部４０１が移動する時間を減らすことができるため、本スキャン領域ＨＡに造影剤が到達するタイミングで本スキャンを実施することが容易にできる。よって、造影剤を用いたスキャンを効率的に実施でき、診断能率を向上させることができる。
【００７９】
また、本実施形態においては、本スキャンを実施する際には、本スキャンでのテーブル部４０１の位置がモニタースキャンにおけるテーブル部４０１の位置と同じになるように、本スキャン制御部３０１ａがテーブル移動部４０２を制御する。つまり、本スキャン制御部３０１ｂは、本スキャンを実施させる場合に、モニタースキャンを実施した時の位置に被検体を固定した状態で本スキャンを実施させる。したがって、本実施形態は、モニタースキャン後に本スキャンを実施する際に、テーブル部が移動する時間を不要にできるため、本スキャン領域ＨＡに造影剤が到達するタイミングで本スキャンを実施することが容易にできる。よって、造影剤を用いたスキャンを効率的に実施でき、診断能率を向上させることができる。
【００８０】
また、本実施形態においては、モニタースキャンを実施する際には、モニタースキャン領域ＭＡ以外の領域に照射されるＸ線を遮蔽するようにモニタースキャン制御部３０１ａがコリメータ２２を制御する。そして、本スキャンを実施する際には、本スキャン領域ＨＡ以外の領域に照射されるＸ線を遮蔽するように、本スキャン制御部３０１ｂがコリメータ２２を制御する。つまり、モニタースキャン制御部３０１ａと本スキャン制御部３０１ｂは、モニタースキャン領域ＭＡと本スキャン領域ＨＡとにそれぞれ対応するように、被検体に照射されるＸ線をコリメータ２２で照射し、モニタースキャンと本スキャンとをそれぞれ実施させる。したがって、本実施形態は、モニタースキャンと本スキャンとを実施する際に、被検体へ照射するＸ線を効率的に利用することができ、低被爆化を実現できる。よって、造影剤を用いたスキャンを効率的に実施でき、診断能率を向上させることができる。
【００８１】
なお、本発明の実施に際しては、上記した実施の形態に限定されるものではなく、種々の変形形態を採用することができる。
【００８２】
たとえば、上記の実施形態においては、放射線としてＸ線を用いている例について説明しているが、これに限定されない。たとえば、たとえば、ガンマ線等の放射線を用いても良い。
【００８３】
また、たとえば、上記の実施形態においては、モニタースキャンを実施した時の位置に被検体を固定した状態で本スキャンを実施させたが、これに限定されない。
【００８４】
また、たとえば、上記の実施形態においては、モニタースキャン領域ＭＡと本スキャン領域ＨＡとのそれぞれに対応するように、被検体に照射されるＸ線をコリメータ２２で遮蔽し、モニタースキャンと本スキャンとをそれぞれ実施させたが、これに限定されない。たとえば、モニタースキャン時のみにおいて、モニタースキャン領域ＭＡに対応するように、被検体に照射されるＸ線をコリメータ２２で遮蔽してもよい。
【００８５】
また、上記の実施形態においては、オペレータにより入力装置に入力された指令に基づいて本スキャン制御部３０１ｂが本スキャンを開始しているが、これに限定されない。たとえば、本スキャン制御部３０１ｂは、モニタースキャン画像生成部３０２ｂにより生成されたモニター画像の時間変化に基づいて、本スキャン領域ＨＡの血液Ｂに造影剤が含まれるタイミングで本スキャンが開始されるように、Ｘ線管２０とＸ線検出器２３とデータ収集部２４とを制御してもよい。この場合には、たとえば、本スキャン制御部３０１ｂは、モニター画像の時間変化に基づいて造影剤が流れる流速を算出すると共に、モニタースキャン領域ＭＡと本スキャン領域ＨＡと間の距離を算出する。この造影剤の流速については、たとえば、モニタースキャン領域ＭＡにて所定間隔を有するようにオペレータにより設定された複数のスライス位置の距離と、その複数のスライス位置のそれぞれにおいて造影剤によりＣＴ値が所定値になった時間とにより、その造影剤の流速を算出する。その後、その算出した造影剤の流速と、オペレータにより設定されたモニタースキャン領域ＭＡと本スキャン領域ＨＡと間の距離とを用いて、造影剤が本スキャン領域ＨＡに到達する到達時間を算出し、その算出した到達時間に対応するように本スキャンを開始させる。
【図面の簡単な説明】
【００８６】
【図１】図１は、本発明にかかる実施形態において、Ｘ線ＣＴ装置の全体構成を示すブロック図である。
【図２】図２は、本発明にかかる実施形態において、Ｘ線ＣＴ装置の要部を示す構成図である。
【図３】図３は、本発明にかかる実施形態において、情報処理装置の構成を示すブロック図である。
【図４】図４は、本発明にかかる実施形態において、被検体搬送部の構成を示す斜視図である。
【図５】図５は、本発明にかかる実施形態において、流体である血液中に造影剤が注入された被検体を本スキャンする際の動作を示すフロー図である。
【図６】図６は、本発明にかかる実施形態において、モニタースキャンが実施される際の様子を示す側面図である。
【図７】図７は、本発明にかかる実施形態において、モニター画像を示す図である。
【図８】図８は、本発明にかかる実施形態において、本スキャンが実施される際の様子を示す側面図である。
【符号の説明】
【００８７】
１…Ｘ線ＣＴ装置（放射線撮影装置）、
２…走査ガントリ、
３…操作コンソール、
４…被検体搬送部、
２０…Ｘ線管（照射部）、
２１…Ｘ線管移動部、
２２…コリメータ（コリメータ部）、
２３…Ｘ線検出器（検出部）、
２３ａ…検出素子（検出素子）、
２４…データ収集部、
２４１…選択・加算切換回路、
２４２…アナログ−デジタル変換器、
２５…Ｘ線コントローラ、
２６…コリメータコントローラ、
２７…回転部、
２８…ガントリコントローラ、
２９…撮影空間、
３０…情報処理装置、
４１…入力装置（入力部）、
５１…表示装置（表示部）、
６１…記憶装置、
３０１…制御部、
３０２…画像生成部
３０１ａ…モニタースキャン制御部（モニタースキャン制御部）、
３０１ｂ…本スキャン制御部（本スキャン制御部）、
３０２ａ…モニタースキャン画像生成部（モニター画像生成部）、
３０２ｂ…本スキャン画像生成部（本スキャン画像生成部）、
４０１…テーブル部（テーブル部）、
４０２…テーブル移動部（テーブル移動部）
【図１】
2006255241.tif 000003
【図２】
2006255241.tif 000004
【図３】
2006255241.tif 000005
【図４】
2006255241.tif 000006
【図５】
2006255241.tif 000007
【図６】
2006255241.tif 000008
【図７】
2006255241.tif 000009
【図８】
2006255241.tif 000010